(57)【特許請求の範囲】
【請求項１】
選挙候補者の投票を行う選挙投票システムにおいて、
有権者を識別する情報である有権者識別情報と、有権者が投票する選挙候補者名の情報である選挙候補者名情報とを有する仮投票用紙が示す情報である仮投票用紙情報を読み取る仮投票用紙読み取り手段と、投票を行うべき有権者の情報である有権者情報が格納された有権者情報格納手段と、前記仮投票用紙読み取り手段によって読み取られた前記仮投票用紙情報に含まれる前記有権者識別情報と、前記有権者情報格納手段に格納された前記有権者情報とを照合する有権者照合手段と、前記有権者照合手段による前記照合が成立した場合に、前記仮投票用紙読み取り手段によって読み取られた前記仮投票用紙情報に含まれる前記選挙候補者名情報が示す前記選挙候補者名が識別可能か否かの判定を行うコントローラと、前記コントローラによって前記選挙候補者名が識別可能と判定された前記選挙候補者名情報を用いて、前記選挙候補者名を投票用紙に印刷する投票用紙印刷手段と、前記投票用紙印刷手段によって前記選挙候補者名が印刷された前記投票用紙を排出する投票用紙排出手段と、前記仮投票用紙読み取り手段によって前記有権者識別情報と前記選挙候補者名情報とが読み取られて前記有権者照合手段による前記照合が成立しかつ前記コントローラによって前記選挙候補者名が識別可能と判定された前記仮投票用紙を破棄するシュレッダと、を有する仮投票用紙読み取り装置と、
前記投票用紙排出手段によって排出された前記投票用紙に印刷された前記選挙候補者名を示す情報である投票用紙情報を読み取る投票用紙読み取り手段と、前記投票用紙読み取り手段によって読み取られた前記投票用紙情報を用いて、前記投票用紙を分別する投票用紙分別手段と、前記投票用紙分別手段によって分別された前記投票用紙を収納する投票用紙収納手段と、前記投票用紙読み取り手段による読み取り前に前記投票用紙情報を読み取る前記投票用紙の枚数をカウントするセンサと、前記投票用紙収納手段によって収納される前記投票用紙の枚数をカウントするカウンタと、前記カウンタによって得られる前記投票用紙の枚数を外から見えないように表示するカウンタ表示器と、を有する投票用紙読み取り装置と、
を有することを特徴とする選挙投票システム。
【請求項２】
前記仮投票用紙読み取り装置は、
前記有権者照合手段によって照合された前記有権者識別情報を格納する有権者識別情報格納手段と、前記有権者識別情報格納手段に格納された前記有権者識別情報を用いて、有権者識別情報を集計処理する有権者識別情報集計手段と、をさらに有することを特徴とする請求項１記載の選挙投票システム。
【請求項３】
前記投票用紙読み取り装置は、
前記投票用紙読み取り手段によって読み取られた前記投票用紙情報を格納する投票用紙情報格納手段と、前記投票用紙情報格納手段によって格納された前記投票用紙情報を集計処理して前記投票用紙情報の集計結果を示す情報である投票集計情報を生成する投票集計情報生成手段と、をさらに有することを特徴とする請求項１記載の選挙投票システム。
【請求項４】
前記投票用紙読み取り装置は、
前記投票集計情報生成手段によって生成された前記投票集計情報を、集計所に設けられた端末装置に送信する投票集計情報送信手段をさらに有することを特徴とする請求項３記載の選挙投票システム。
【請求項５】
選挙候補者の投票を行う選挙投票方法において、
仮投票用紙読み取り装置によって、有権者を識別する情報である有権者識別情報と、有権者が投票する選挙候補者名の情報である選挙候補者名情報とを有する仮投票用紙が示す情報である仮投票用紙情報を読み取る仮投票用紙読み取りステップと、
前記仮投票用紙読み取り装置によって、投票を行うべき有権者の情報である有権者情報を格納する有権者情報格納ステップと、
前記仮投票用紙読み取り装置によって、前記仮投票用紙読み取りステップにて読み取られた前記仮投票用紙情報に含まれる前記有権者識別情報と、前記有権者情報格納ステップにて格納された前記有権者情報とを照合する有権者照合ステップと、
前記仮投票用紙読み取り装置によって、前記有権者照合ステップにて前記照合が成立した場合に、前記仮投票用紙読み取りステップにて読み取られた前記仮投票用紙情報に含まれる前記選挙候補者名情報が示す前記選挙候補者名が識別可能か否かの判定を行うステップと、
前記仮投票用紙読み取り装置によって、前記判定を行うステップにて前記選挙候補者名が識別可能と判定された前記選挙候補者名情報を用いて、前記選挙候補者名を投票用紙に印刷する投票用紙印刷ステップと、
前記仮投票用紙読み取り装置によって、前記投票用紙印刷ステップにて前記選挙候補者名が印刷された前記投票用紙を排出する投票用紙排出ステップと、
前記仮投票用紙読み取り装置によって、前記仮投票用紙読み取りステップにて前記有権者識別情報と前記選挙候補者名情報とが読み取られて前記有権者照合ステップでの前記照合が成立しかつ前記判定を行うステップで前記選挙候補者名が識別可能と判定された前記仮投票用紙を破棄するステップと、
投票用紙読み取り装置によって、読み取る前記投票用紙の枚数をカウントするステップと、
前記投票用紙読み取り装置によって、前記投票用紙排出ステップにて排出された前記投票用紙に印刷された前記選挙候補者名を示す情報である投票用紙情報を読み取る投票用紙読み取りステップと、
前記投票用紙読み取り装置によって、前記投票用紙読み取りステップにて読み取られた前記投票用紙情報を用いて、前記投票用紙を分別する投票用紙分別ステップと、
前記投票用紙読み取り装置によって、前記投票用紙分別ステップにて分別された前記投票用紙を収納する投票用紙収納ステップと、
前記投票用紙読み取り装置によって、前記投票用紙収納ステップにて収納される前記投票用紙の枚数をカウントするステップと、
前記投票用紙読み取り装置によって、収納される前記投票用紙の枚数をカウントするステップにてカウントされた前記投票用紙の枚数を外から見えないように表示するステップと、
を有することを特徴とする選挙投票方法。
【発明の詳細な説明】
【０００１】
【発明の属する技術分野】
本発明は選挙投票システムに関し、特に投票用紙の発行および集計を自動で行う選挙投票システムに関する。
【０００２】
【従来の技術】
従来の選挙投票では、選挙投票日前にあらかじめ、選挙権を有する有権者に自治体から投票所入場はがきが送付され、有権者はこの投票所入場はがきを持参して指定された投票所に行き、投票所で投票所入場はがきと引き換えに投票用紙を受け取る。その際、投票所では、あらかじめ送付された投票所入場はがきと、投票所にある有権者名簿との照合が人手により行われている。照合後に投票用紙を受け取った有権者は、投票用紙に自筆で候補者氏名を記入し、投票箱に投函する。選挙投票の終了後は、人手により開票作業が行われ、開票結果の集計が行われる。
【０００３】
これら選挙投票に係る作業を効率化する方法としては、例えば、特開平９−２６９９８３号公報、特開平１１−７３４７１号公報などに提案されている方法がある。
【０００４】
特開平９−２６９９８３号公報では、投票所入場はがきに代えて有権者のＩＤコード、あるいは自治体が発行する市民カードを利用し、投票所における有権者の照合作業の効率化、および投票所入場はがきの作成・処分にかかる費用を削減する投票用紙発行システムが提案されている。
【０００５】
特開平１１−７３４７１号公報では、自治体が有権者に送付する投票所入場はがきから各投票所入場はがきについてのバーコード情報を生成し、投票所にてバーコードを読み取ることにより有権者の照合を行い、投票用紙を発行する選挙受け付けシステムが提案されている。
【０００６】
【発明が解決しようとする課題】
しかしながら、従来行われている選挙投票においては、投票所における投票所入場はがきと有権者名簿との照合は、人手で行われているため、時間帯によっては投票所に有権者が集中し、非常に混雑してしまう場合があった。
【０００７】
また、選挙投票所における選挙終了後の開票作業は、従来行われている選挙投票であっても、特開平９−２６９９８３号公報、特開平１１−７３４７１号公報などに提案されている選挙投票に係るシステムを用いた場合であっても、やはり、人手により行われるため、開票作業および開票結果の集計には多大な労力と時間を要してしまうという問題点があった。
【０００８】
さらに、従来行われている選挙投票であっても、特開平９−２６９９８３号公報、特開平１１−７３４７１号公報などに提案されている選挙投票に係るシステムを用いた場合であっても、投票所にて発行された投票用紙に、有権者が自筆で選挙候補者名を記入する必要がある。そのため、開票作業では、判読できない投票用紙が出てくる場合がある。その場合、これらの票は無効票となり、選挙に反映されなくなってしまうという問題点があった。また、これら判読しにくい投票用紙は、開票作業の遅延の一因となっていた。
【０００９】
本発明はこのような点に鑑みてなされたものであり、判読不能などによる無効票を無くし、投票および開票作業を効率的に行う選挙投票システムを提供することを目的とする。
【００１０】
【課題を解決するための手段】
本発明では上記問題を解決するために、選挙候補者の投票を行う選挙投票システムにおいて、有権者を識別する情報である有権者識別情報と、有権者が投票する選挙候補者名の情報である選挙候補者名情報とを有する仮投票用紙が示す情報である仮投票用紙情報を読み取る仮投票用紙読み取り手段と、投票を行うべき有権者の情報である有権者情報が格納された有権者情報格納手段と、前記仮投票用紙読み取り手段によって読み取られた前記仮投票用紙情報に含まれる前記有権者識別情報と、前記有権者情報格納手段に格納された前記有権者情報とを照合する有権者照合手段と、前記有権者照合手段による前記照合が成立した場合に、前記仮投票用紙読み取り手段によって読み取られた前記仮投票用紙情報に含まれる前記選挙候補者名情報が示す前記選挙候補者名が識別可能か否かの判定を行うコントローラと、前記コントローラによって前記選挙候補者名が識別可能と判定された前記選挙候補者名情報を用いて、前記選挙候補者名を投票用紙に印刷する投票用紙印刷手段と、前記投票用紙印刷手段によって前記選挙候補者名が印刷された前記投票用紙を排出する投票用紙排出手段と、前記仮投票用紙読み取り手段によって前記有権者識別情報と前記選挙候補者名情報とが読み取られて前記有権者照合手段による前記照合が成立しかつ前記コントローラによって前記選挙候補者名が識別可能と判定された前記仮投票用紙を破棄するシュレッダと、を有する仮投票用紙読み取り装置と、前記投票用紙排出手段によって排出された前記投票用紙に印刷された前記選挙候補者名を示す情報である投票用紙情報を読み取る投票用紙読み取り手段と、前記投票用紙読み取り手段によって読み取られた前記投票用紙情報を用いて、前記投票用紙を分別する投票用紙分別手段と、前記投票用紙分別手段によって分別された前記投票用紙を収納する投票用紙収納手段と、前記投票用紙読み取り手段による読み取り前に前記投票用紙情報を読み取る前記投票用紙の枚数をカウントするセンサと、前記投票用紙収納手段によって収納される前記投票用紙の枚数をカウントするカウンタと、前記カウンタによって得られる前記投票用紙の枚数を外から見えないように表示するカウンタ表示器と、を有する投票用紙読み取り装置と、を有することを特徴とする選挙投票システムが提供される。
【００１１】
このような選挙投票システムによれば、仮投票用紙読み取り装置の有権者照合手段が、仮投票用紙読み取り手段によって読み取られた仮投票用紙が有する有権者識別情報と、有権者情報格納手段によって格納された選挙を行うべき有権者の情報である有権者情報とを照合する。これにより、投票所における有権者の照合が自動で行われる。
【００１２】
また、仮投票用紙読み取り装置の投票用紙印刷手段は、仮投票用紙が有する選挙候補者名の情報である選挙候補者名情報を用いて、選挙候補者名を投票用紙に印刷するので、有権者は、投票用紙に自筆で選挙候補者名を記入する必要がなくなる。さらに、選挙候補者名が投票用紙に印刷されるので、投票用紙読み取り装置の投票用紙読み取り手段による読み取りが確実かつ容易になる。
【００１３】
投票用紙読み取り装置の投票用紙分別手段は、投票用紙に印刷された選挙候補者名を示す情報である投票用紙情報を用いて、選挙候補者別に投票用紙を分別し、投票用紙収納手段によって収納するので、開票作業における集計が効率的になる。
【００１４】
【発明の実施の形態】
以下、本発明の実施の形態を図面を参照して詳細に説明する。
図２は本発明の選挙投票システムの原理構成のひとつの例を示す図である。
【００１５】
選挙投票が行われる際、まず、選挙投票日前に自治体２から有権者３に、有権者３を識別する情報である有権者識別情報を含む仮投票用紙を送付する。この仮投票用紙には告示されている選挙候補者の氏名および政党名が記載されており、有権者がどの選挙候補者に投票するかがわかるように印を付すことができるように構成されている。印を付す方法としては、例えば、記載されている各選挙候補者名をマークする欄が設け、投票する選挙候補者名の欄に有権者がマークする方法を用いることができる。有権者３は、選挙投票前に、仮投票用紙に記載された選挙候補者名の中から自分が投票しようと考える選挙候補者の選挙候補者名の欄にあらかじめマークをし、有権者が投票する選挙候補者名の情報である選挙候補者名情報を生成する。
【００１６】
有権者３は、選挙投票日に投票所６ａにて、仮投票用紙を仮投票用紙読み取り装置１０に挿入し、仮投票用紙読み取り装置１０が、仮投票用紙が含む有権者識別情報と、選挙候補者名のマークを読み取る。仮投票用紙読み取り装置１０は、投票を行うべき有権者の情報である有権者情報があらかじめ格納されている有権者情報サーバを有しており、この有権者情報と、仮投票用紙読み取り装置１０によって読み取った有権者識別情報とを照合し、照合が成立した場合に、有権者識別情報をネットワークを介して集計サーバ４に格納する。集計サーバ４には、投票所６ａにて得られる有権者識別情報のほか、その他の投票所６ｂ、６ｃ、６ｄからの有権者識別情報も格納される。さらに、仮投票用紙読み取り装置１０は、仮投票用紙に記載されている選挙候補者名のマークを読み取り、マークされている選挙候補者名を、選挙投票に用いる正式な投票用紙に印刷して有権者３に排出する。
【００１７】
有権者３は、印刷された投票用紙を受け取り、投票用紙読み取り装置２０に投票用紙を挿入することにより投票を行う。この投票用紙読み取り装置２０は、仮投票用紙読み取り装置１０によって投票用紙に印刷された選挙候補者名を識別し、選挙候補者ごとに分別し、各選挙候補者別に投票用紙を収納する。このとき、収納した投票用紙の枚数を各選挙候補者別にカウントする。さらに、投票用紙に印刷された選挙候補者名を示す情報をメモリに格納して集計し、集計結果をネットワークを介して集計所にある端末装置５に送信する。この端末装置５には、投票所６ａにて得られる集計結果のほか、その他の投票所６ｂ、６ｃ、６ｄからの集計結果も送信される。
【００１８】
選挙投票において、上記のようなシステムを構築することにより、あらかじめ有権者に送付されている仮投票用紙を用いて自動で照合を行うので、有権者の照合にかかる時間および投票用紙に記入する時間を短縮することができるようになる。
【００１９】
また、選挙候補者名は、投票用紙に機械的に印刷されるので、投票用紙を自筆で記入する従来の方法で生じていた選挙候補者名の投票用紙への記入間違いや、判読不能な投票用紙がなくなり、無効票のない正確な選挙結果を得ることができる。さらに、選挙候補者名が印刷された投票用紙を自動で読み取るので、投票された投票用紙の集計を迅速かつ確実に行うことができるようになる。
【００２０】
また、投票された投票用紙は分別収納の際に各選挙候補者別にカウントして集計するとともに、投票用紙に印刷された選挙候補者名を示す情報をメモリに格納して集計するので、選挙投票終了後に両者の集計結果を比較して確認することができる。さらに、メモリに格納された集計結果はネットワークを介して集計所にある端末装置に送信することができるので、集計所では各投票所での集計結果を受信して迅速かつ確実に選挙結果を得ることができる。
【００２１】
なお、上記の投票所の数は単なる例であって、もちろん、本システムを構築する規模により増減可能である。
図１は本発明の実施の形態に係る選挙投票システムの構成を説明する機能ブロック図である。
【００２２】
本発明の実施の形態に係る選挙投票システム１は、有権者を識別する情報である有権者識別情報と、有権者が投票する選挙候補者名の情報である選挙候補者名情報とを有する仮投票用紙が示す情報である仮投票用紙情報を読み取り、選挙候補者名を投票用紙に印刷する仮投票用紙読み取り装置１０と、仮投票用紙読み取り装置１０によって、選挙候補者名の印刷された投票用紙が有権者によって投票されると、選挙候補者名を読み取り、投票用紙を選挙候補者ごとに分別収納して投票結果を集計する投票用紙読み取り装置２０とから構成されている。
【００２３】
選挙投票システム１において、仮投票用紙読み取り装置１０は、有権者を識別する情報である有権者識別情報と有権者が投票する選挙候補者名の情報である選挙候補者名情報とを有する仮投票用紙が示す情報である仮投票用紙情報を読み取る仮投票用紙読み取り手段１１と、投票を行うべき有権者の情報である有権者情報が格納された有権者情報格納手段１２と、仮投票用紙読み取り手段１１によって読み取られた仮投票用紙情報に含まれる有権者識別情報と、有権者情報格納手段１２に格納された有権者情報とを照合する有権者照合手段１３と、有権者照合手段１３による照合が成立した場合に、仮投票用紙読み取り手段１１によって読み取られた仮投票用紙情報に含まれる選挙候補者名情報を用いて、選挙候補者名を投票用紙に印刷する投票用紙印刷手段１４と、投票用紙印刷手段１４によって選挙候補者名が印刷された投票用紙を排出する投票用紙排出手段１５とを有する。
【００２４】
さらに、仮投票用紙読み取り装置１０は、有権者照合手段１３による照合が成立した場合に、仮投票用紙読み取り手段１１によって読み取った有権者識別情報を格納する有権者識別情報格納手段１６と、有権者識別情報格納手段１６によって格納された有権者識別情報が含んでいる有権者を識別する情報、例えば、投票を行った有権者の地域、性別、年齢などの情報を集計する有権者識別情報集計手段１７とを有する。
【００２５】
また、選挙投票システム１において、投票用紙読み取り装置２０は、仮投票用紙読み取り装置１０の投票用紙排出手段１５によって排出された投票用紙が有権者によって挿入されると、投票用紙に印刷された選挙候補者名を示す情報である投票用紙情報を読み取る投票用紙読み取り手段２１と、投票用紙読み取り手段２１によって読み取られた投票用紙情報を用いて、選挙候補者名ごとに投票用紙を分別する投票用紙分別手段２２と、投票用紙分別手段２２によって分別された投票用紙を選挙候補者別に収納する投票用紙収納手段２３と、を有する投票用紙読み取り装置とを有する。
【００２６】
さらに、投票用紙読み取り装置２０は、投票用紙読み取り手段２１によって読み取られた投票用紙情報を格納する投票用紙情報格納手段２４と、投票用紙情報格納手段２４によって格納された投票用紙情報を集計処理して投票用紙情報の集計結果を示す情報である投票集計情報を生成する投票集計情報生成手段２５と、投票集計情報生成手段２５によって生成された投票集計情報を、集計所に設けられた端末装置に送信する投票集計情報送信手段２６とを有する。
【００２７】
上記構成の選挙投票システム１において、仮投票用紙読み取り手段１１はＯＣＲ（Optical Character Reader）による認識機能を有しており、有権者が挿入した仮投票用紙に記載された有権者識別情報を読み取る。有権者識別情報は、例えば、投票を行った有権者の地域、性別、年齢などの情報が数値や記号で表現された有権者識別番号などを用いることができる。さらに、仮投票用紙読み取り手段１１は、投票前に有権者が仮投票用紙の選挙候補者名の欄にマークした選挙候補者名のマークを読み取る。また、正しくマークされていない場合は挿入された仮投票用紙を返却し、正しくマークする旨を通知する。
【００２８】
有権者照合手段１３は、仮投票用紙読み取り手段１１によって読み取られた有権者識別情報と、有権者情報格納手段１２によって格納されている有権者の属する地域、性別、年齢についての情報である有権者情報とを照合し、本人の確認を行う。照合が成立した場合には、有権者識別情報を有権者識別情報格納手段１６によって格納する。有権者識別情報格納手段１６によって格納された有権者識別情報は、有権者識別情報集計手段１７によって、有権者の属する地域、性別、年齢が集計され、全体の投票率や、性別、年齢別の投票率などが集計される。
【００２９】
投票用紙印刷手段１４は、有権者照合手段１３における照合が成立した場合に、仮投票用紙読み取り手段１１によって読み取られた、仮投票用紙にマークされた選挙候補者名を、投票用紙に印刷する。選挙候補者名の印刷された投票用紙は投票用紙排出手段１５によって排出され、仮投票用紙を仮投票用紙読み取り装置１０に挿入した有権者に投票用紙が発行される。
【００３０】
投票用紙読み取り手段２１は、ＯＣＲによる認識機能を有しており、投票用紙に印刷されている選挙候補者名を文字認識し、選挙候補者名を示す情報である投票用紙情報を読み取る。
【００３１】
投票用紙分別手段２２は、投票用紙読み取り手段２１によって読み取られた投票用紙情報を用いて、投票用紙を選挙候補者名ごとに振り分けて分別する。分別された投票用紙は投票用紙収納手段２３によって選挙候補者別に収納され、投票用紙の収納枚数がカウントされる。
【００３２】
さらに、投票用紙情報格納手段２４は、投票用紙読み取り手段２１によって読み取られた投票用紙情報をメモリに格納し、投票集計情報生成手段２５が各候補者の得票数を集計処理した集計結果を示す情報である投票集計情報を生成する。投票終了後には、この集計結果と、投票用紙の収納時にカウントされた投票用紙枚数とを比較することにより、投票用紙の集計および集計結果の確認が行われる。
【００３３】
投票集計情報生成手段２５によって生成された投票集計情報は、投票集計情報送信手段によって、集計所が有する端末装置に送信することができる。
次に、選挙投票システム１における仮投票用紙読み取り装置１０および投票用紙読み取り装置２０が行う処理について説明する。
【００３４】
図３は仮投票用紙読み取り装置の処理の流れを示すフローチャートである。
仮投票用紙読み取り装置１０に仮投票用紙が有権者によって挿入されると（ステップＳ１）、仮投票用紙が有する、有権者識別情報と選挙候補者名情報とを示す情報である仮投票用紙情報の読み取りが行われる（ステップＳ２）。次いで、有権者識別情報と選挙候補者名情報との読み取りが完了したか否かが判定され(ステップＳ３)、有権者識別情報と選挙候補者名情報との読み取りが完了している場合には、読み取った有権者識別情報を用いて有権者の照合判定が行われる（ステップＳ４）。有権者の照合が成立した場合には、有権者識別情報を格納し（ステップＳ５）、さらに、有権者識別情報の集計を行う（ステップＳ６）。また、有権者の照合が成立した場合には、ステップＳ２において仮投票用紙から読み取った選挙候補者名情報を用いて、該当する選挙候補者名を投票用紙に印刷する（ステップＳ７）。最後に、選挙候補者名が印刷された投票用紙を排出し、有権者に投票用紙を発行する（ステップＳ８）。なお、ステップＳ３において仮投票用紙の読み取りが完了しなかった場合、およびステップＳ４において有権者の照合が成立しなかった場合には、仮投票用紙を有権者に返却する（ステップＳ９）。
【００３５】
図４は投票用紙読み取り装置の処理の流れを示すフローチャートである。
投票用紙読み取り装置２０に投票用紙が挿入されると（ステップＳ１１）、投票用紙に印刷された選挙候補者名を示す情報である投票用紙情報の読み取りが行われる（ステップＳ１２）。次いで、読み取られた投票用紙情報を用いて、選挙候補者ごとに投票用紙を振り分けて分別し（ステップＳ１３）、分別された投票用紙を選挙候補者別に収納する（ステップＳ１４）。また、読み取られた投票用紙情報をメモリに格納し（ステップＳ１５）、格納された投票用紙情報から各選挙候補者の得票数を集計処理した集計結果を示す情報である投票集計情報を生成する（ステップＳ１６）。最後に、生成した投票集計情報を集計所の端末装置に送信する（ステップＳ１７）。
【００３６】
次に、選挙投票システム１における仮投票用紙読み取り装置１０と投票用紙読み取り装置２０の構成について説明する。
図５は仮投票用紙読み取り装置の概略を示す模式図である。
【００３７】
仮投票用紙読み取り装置１０は、仮投票用紙を挿入する仮投票用紙挿入口１０ａと、仮投票用紙が有する有権者識別情報と選挙候補者名情報とを読み取るイメージセンサ１０ｂと、投票用紙が蓄えられている投票用紙スタッカ１０ｃと、読み取った選挙候補者名を投票用紙に印字する印字リボン１０ｄおよび印字ヘッド１０ｅと、選挙候補者名の印刷された投票用紙を有権者に排出する投票用紙排出口１０ｆと、イメージセンサ１０ｂと投票用紙スタッカ１０ｃと印字ヘッド１０ｅとの動作を制御するコントローラ１０ｇと、読み取りが完了した仮投票用紙を破棄するシュレッダ１０ｈと、図示しない搬送モータとから構成されている。
【００３８】
さらに、コントローラ１０ｇは、投票を行うべき有権者の情報である有権者情報が格納されている有権者情報サーバ１０ｉと、仮投票用紙にマークされている選挙候補者名、および政党名の情報を格納する選挙候補者データベース１０ｊとを有している。
【００３９】
また、仮投票用紙読み取り装置１０は集計サーバ４と接続されている。集計サーバ４は、仮投票用紙読み取り装置１０に直接接続されていても、ネットワークを介して接続されていてもよい。
【００４０】
上記の構成の仮投票用紙読み取り装置１０において、投票を行おうとする有権者によって、仮投票用紙が仮投票用紙挿入口１０ａから挿入されると、仮投票用紙読み取り装置１０は仮投票用紙の挿入を検知するとともに、仮投票用紙を搬送し、イメージセンサ１０ｂによって仮投票用紙が有する有権者識別情報と選挙候補者名情報との読み取りが行われる。
【００４１】
コントローラ１０ｇは読み込んだ有権者識別情報と、有権者情報サーバ１０ｉに格納している有権者情報とを照合する。コントローラ１０ｇは、照合が成立しない場合には仮投票用紙を仮投票用紙挿入口１０ａに返却し、照合が成立した場合には選挙候補者名情報の判定を行う。
【００４２】
選挙候補者名情報の判定において、仮投票用紙の該当する選挙候補者名の欄に正確にマークがされていない場合には、仮投票用紙を仮投票用紙挿入口１０ａに返却する。仮投票用紙の該当する選挙候補者名の欄に正確にマークがされている場合は、コントローラ１０ｇが選挙候補者データベース１０ｊを用いて、マークに該当する選挙候補者名を識別する。次いで、識別が完了した仮投票用紙をシュレッダ１０ｈへ搬送して破棄する。
【００４３】
コントローラ１０ｇは投票用紙スタッカ１０ｃから投票用紙を搬送し、該当する選挙候補者名を印字ヘッド１０ｅ、印字リボン１０ｄを用いて投票用紙に印刷する。最後に、印刷された投票用紙を搬送して投票用紙排出口１０ｆから排出する。
【００４４】
また、コントローラ１０ｇは、イメージセンサ１０ｂで読み取られて照合が確認された有権者識別情報を集計サーバ４に格納する。格納された有権者識別情報は、投票を行った有権者の地域、性別、年齢別の投票率の集計などに利用される。
【００４５】
上記のような仮投票用紙読み取り装置１０により、有権者は、あらかじめ自治体から送付される仮投票用紙に記載されている選挙候補者名の該当する欄にマークするだけでよい。投票所では、仮投票用紙を仮投票用紙読み取り装置１０に通して有権者の照合が行われるため、照合にかかる時間をこれまでよりも短縮することができる。また、照合に人手をかけなくてよく、照合作業も迅速かつ正確に行われ、投票所における混雑を解消することができる。
【００４６】
さらに、仮投票用紙の選挙候補者名のマークに基いて投票用紙に選挙候補者名が印刷されるので、投票用紙への選挙候補者名の記入間違いや、投票用紙に記入された選挙候補者名が判読不能のために無効となる、といった無効票がなくなる。
【００４７】
また、有権者識別情報が集計サーバ４に格納されることによって、投票を行った有権者の地域、性別、年齢別の投票率の集計などを容易に行うことができるようになる。
【００４８】
図６は投票用紙読み取り装置の概略を示す説明図である。
投票用紙読み取り装置２０は、挿入された投票用紙が有する投票用紙情報を読み取る投票用紙読み取り部２０ａと、投票用紙情報を用いて選挙候補者ごとに投票用紙を振り分けて分別する投票用紙分別部２０ｂと、分別された投票用紙を選挙候補者別に収納する投票用紙収納部２０ｃと、投票用紙読み取り部２０ａと投票用紙分別部２０ｂと投票用紙収納部２０ｃとの動作を制御するコントローラと、読み取った投票用紙情報や投票用紙枚数のカウント数を格納するメモリとを備えた投票用紙読み取り装置制御部２０ｄとから構成されている。
【００４９】
投票用紙読み取り部２０ａは、投票用紙が挿入される投票用紙挿入口２０ｅと、投票用紙が挿入された際に開放され、投票用紙読み取り部２０ａを保護するとともに、挿入された投票用紙の抜き取りを防止するシャッター２０ｆと、投票用紙が通過したことを検知するセンサ２０ｇと、投票用紙が有する投票用紙情報を読み取るイメージセンサ２０ｈと、投票用紙を搬送する搬送ローラ２０ｉとを有する。
【００５０】
投票用紙分別部２０ｂは、投票用紙を選挙候補者ごとに振り分ける振り分けゲート２０ｊを有する。さらに、投票用紙収納部２０ｃは、各選挙候補者別の収納カセット２０ｋが連結されて構成されており、各収納カセット２０ｋの投票用紙入口部分には、投票用紙が通過したことを検知するセンサ２０ｎが配置されており、さらに、収納カセット２０ｋの内部には収納枚数をカウントするカウンタ２０ｍが設けられている。
【００５１】
上記の構成の投票用紙読み取り装置２０において、投票を行おうとする有権者によって、投票用紙が投票用紙挿入口２０ｅから挿入されると、センサ２０ｇによって投票用紙の挿入を検知するとともに、投票用紙を搬送し、イメージセンサ２０ｈによって投票用紙に印刷された選挙候補者名を示す情報である投票用紙情報の読み取りが行われ、投票用紙読み取り装置制御部２０ｄが備えるメモリに投票用紙情報を格納する。
【００５２】
次いで、読み取られた投票用紙情報を用いて、投票用紙読み取り装置制御部２０ｄが備えるコントローラが、投票用紙分別部２０ｂの振り分けゲート２０ｊの振り分け動作を制御し、投票用紙を選挙候補者ごとに振り分ける。
【００５３】
選挙候補者ごとに振り分けられた投票用紙は、そのまま選挙候補者別に投票用紙収納部２０ｃの収納カセット２０ｋに収納される。このとき、収納カセット２０ｋの投票用紙入口部分に設けられたセンサ２０ｎは、投票用紙の通過を検知し、センサ２０ｎを通過して収納カセット２０ｋに入った投票用紙枚数をカウントする。センサ２０ｎにより得られるカウント数は、投票用紙読み取り装置制御部２０ｄが備えるメモリに格納される。また、収納カセット２０ｋの内部に設けられたカウンタ２０ｍにより得られるカウント数は、カウンタ２０ｍと一体に構成されたカウンタ表示器に表示されるが、投票用紙読み取り装置２０の外からは見えない構造となっている。
【００５４】
投票用紙読み取り装置２０の投票用紙読み取り制御部２０ｄは、読み取った投票用紙情報をメモリに格納するとともに、メモリに格納された投票用紙情報を集計処理し、投票用紙情報の集計結果である投票集計情報を生成する。この投票集計情報は、選挙投票終了後に、前述した投票用紙のカウント数との比較を行うことにより、カウントされた投票用紙の枚数の集計結果を確認することができるとともに、生成した投票集計情報を、集計所の端末装置に送信することもできる。
【００５５】
このような投票用紙読み取り装置２０によれば、有権者は、仮投票用紙読み取り装置１０によって選挙候補者名が印刷された投票用紙を投票用紙読み取り装置２０に挿入するだけであり、従来に比べて手続きが煩雑になることなく、投票を行うことができる。
【００５６】
また、投票用紙読み取り装置２０は、センサ２０ｇによる投票用紙のカウントと、収納カセット２０ｋに設けられたカウンタ２０ｍによるカウントによる２重の投票用紙枚数チェックがなされるので、集計の正確性、信頼性が高いとともに、候補者別に分別収納するので、投票終了後には各候補者の得票数を容易に得ることができ、開票作業の効率化を図ることができる。
【００５７】
上記の構成の投票用紙読み取り装置２０では、投票用紙収納部２０ｃの収納カセット２０ｋを縦型に連結した構成としたが、収納カセット２０ｋを横型に連結して投票用紙収納部２０ｃを構成した投票用紙読み取り装置２０としてもよい。
【００５８】
図７は投票用紙読み取り装置の他の例の概略を示す模式図である。ただし、図７に示す投票用紙読み取り装置２０において、図６に示した投票用紙読み取り装置と同一構成部については同一符号を付している。
【００５９】
投票用紙収納部２０ｃは、収納カセット２０ｋが横型に配置されて連結されており、収納カセット２０ｋの入口部分にはセンサ２０ｎが配置されて、通過した投票用紙の枚数がカウントされる。さらに、収納カセット２０ｋの内部には収納枚数をカウントするカウンタ２０ｍが設けられている。
【００６０】
このような投票用紙読み取り装置２０によれば、投票用紙収納部２０ｃの収納カセット２０ｋを横型に連結することにより、投票用紙読み取り部２０ａ、投票用紙分別部２０ｂが共に、投票用紙読み取り装置２０の奥行き方向に長く、投票用紙読み取り装置２０の幅方向には細く構成することができ、これらを投票用紙読み取り装置２０の内部で並列に配置することができるので、より多くの収納カセットを装着することができるようになる。
【００６１】
上記の投票用紙読み取り装置２０では、投票用紙収納部２０ｃが、収納カセット２０ｋを縦型または横型に連結した構成としたが、複数の収納カセット２０ｋを装着できる一括カセットを設けて、一括でも取り外し可能とすることもできる。これにより、選挙投票終了後の収納カセット２０ｋの取り外しが容易になる。
【００６２】
上記の説明では、仮投票用紙読み取り装置１０による読み取り後、選挙候補者名が印刷された投票用紙を、投票用紙読み取り装置２０を用いて読み取らせる構成としたが、印刷された投票用紙を、従来のように、投票箱に投函する構成としてもよい。この場合、図５に示した仮投票用紙読み取り装置１０を用いて、図３に示した処理を行うことにより、選挙投票を行うことができる。これにより、有権者の照合は自動で行われるので、照合に人手がかからず、効率的に選挙投票を進行させることができる。
【００６３】
また、投票用紙読み取り装置２０による集計結果は、ネットワークを介して送信せずに、従来通りの方法を用いて行ってもよい。
なお、上記の処理機能は、コンピュータによって実現することができる。その場合、仮投票用紙読み取り装置１０および投票用紙読み取り装置２０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク、磁気テープなどがある。光ディスクには、ＤＶＤ(Digital Versatile Disc)、ＤＶＤ−ＲＡＭ(Random Access Memory)、ＣＤ−ＲＯＭ(Compact Disc Read Only Memory)、ＣＤ−Ｒ(Recordable)／ＲＷ(ReWritable)などがある。光磁気記録媒体には、ＭＯ(Magneto-Optical disk)などがある。
【００６４】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００６５】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【００６６】
【発明の効果】
以上説明したように、本発明では、有権者を識別する情報である有権者識別情報と有権者が投票する選挙候補者名の情報である選挙候補者名情報とを有する仮投票用紙が示す情報である仮投票用紙情報を読み取り、選挙候補者名を投票用紙に印刷する仮投票用紙読み取り装置と、選挙候補者名の印刷された投票用紙が有権者によって投票されると、選挙候補者名を読み取り、投票用紙を選挙候補者ごとに分別収納して投票結果を集計する投票用紙読み取り装置とから構成される選挙投票システムを構築した。これにより、あらかじめ有権者に送付されている仮投票用紙を用いて自動で照合を行うので、有権者の照合にかかる時間および投票用紙に記入する時間を短縮することができるようになる。
【００６７】
また、選挙候補者名は、投票用紙に機械的に印刷されるので、選挙候補者名の投票用紙への記入間違いや、判読不能な投票用紙がなくなり、無効票のない正確な選挙結果を得ることができる。さらに、選挙候補者名が印刷された投票用紙を自動で読み取るので、投票された投票用紙の集計を迅速かつ確実に行うことができるようになる。
【００６８】
また、投票された投票用紙は選挙候補者別に分別収納されるので、開票作業を容易に行うことができるようになる。投票された投票用紙は分別収納の際に各選挙候補者別にカウントして集計するとともに、投票用紙に印刷された選挙候補者名を示す情報をメモリに格納して集計するので、選挙投票終了後に両者の集計結果を比較して確認することができ、正確な集計結果を迅速に得ることができる。
【００６９】
さらに、メモリに格納された集計結果はネットワークを介して集計所にある端末装置に送信することができるので、集計所では各投票所での集計結果を受信して迅速かつ確実に選挙結果を得ることができる。
【図面の簡単な説明】
【図１】本発明の実施の形態に係る選挙投票システムの構成を説明する機能ブロック図である。
【図２】本発明の選挙投票システムの原理構成のひとつの例を示す図である。
【図３】仮投票用紙読み取り装置の処理の流れを示すフローチャートである。
【図４】投票用紙読み取り装置の処理の流れを示すフローチャートである。
【図５】仮投票用紙読み取り装置の概略を示す模式図である。
【図６】投票用紙読み取り装置の概略を示す説明図である。
【図７】投票用紙読み取り装置の他の例の概略を示す模式図である。
【符号の説明】
１  選挙投票システム
１０  仮投票用紙読み取り装置
１１  仮投票用紙読み取り手段
１２  有権者情報格納手段
１３  有権者照合手段
１４  投票用紙印刷手段
１５  投票用紙排出手段
１６  有権者識別情報格納手段
１７  有権者識別情報集計手段
２０  投票用紙読み取り装置
２１  投票用紙読み取り手段
２２  投票用紙分別手段
２３  投票用紙収納手段
２４  投票用紙情報格納手段
２５  投票集計情報生成手段
２６  投票集計情報送信手段
【図１】
0003758988.tif 000002
【図２】
0003758988.tif 000003
【図３】
0003758988.tif 000004
【図４】
0003758988.tif 000005
【図５】
0003758988.tif 000006
【図６】
0003758988.tif 000007
【図７】
0003758988.tif 000008